(57)【要約】【課題】受付担当者側で直ちに表示に使用が可能な遠隔地間の外字作成システムにおける申請者側携帯端末及び受付担当者側コンピュータを提供する。【解決手段】申請者７が操作する携帯端末８から通常には使用されない字体の文字から成る氏名を受付担当者５が操作するコンピュータ６に送信したとき、受付担当者５が探し出した類似の字体の文字がコンピュータ６から携帯端末８に返信される。申請者７は類似の字体の文字に対し消す部分を赤で修正する部分を青で手書き入力して受付担当者５に送信する。受付担当者５は赤と青の色に従って赤の部分と青の部分の修正（編集）を行って外字を作成して申請者７に返信する。申請者７が編集された外字を所望の文字であると認めて確定信号を送信すると、受付担当者５により受付られて編集された外字が確定する。【選択図】図１
2011186935.tif 000002
【特許請求の範囲】
【請求項１】
申請者が操作する携帯端末と受付担当者が操作するコンピュータとが公衆無線網で接続されて構成される遠隔地間の外字作成システムにおける申請者側携帯端末であって、
手書き入力された文字画像を前記公衆無線網を介して前記コンピュータに送信する送信手段と、
該送信手段により送信された文字画像が前記コンピュータによりフォント化されて返信されたフォント候補画像が所望のフォント画像でないとき、前記フォント候補画像の不要部を削除し又は追加必要部に追加を施して所望のフォント画像に修正した修正データを付加する修正データ付加手段と、
該修正データ付加手段により修正データが付加された前記フォント候補画像を所望のフォント画像を示すデータとして前記コンピュータに送信する修正送信手段と、
前記コンピュータから返信された前記フォント候補画像が所望のフォント画像であったとき、又は前記修正送信手段により前記コンピュータに送信された前記所望のフォント画像が外字画像として前記コンピュータから返信され該外字画像が所望のフォント画像であったとき、前記コンピュータに確定信号を送信する確定手段と、
を有することを特徴とする申請者側携帯端末。
【請求項２】
前記文字は氏名であることを特徴とする請求項１記載の申請者側携帯端末。
【請求項３】
申請者が操作する携帯端末と受付担当者が操作するコンピュータとが公衆無線網で接続されて構成される遠隔地間の外字作成システムにおける受付担当者側コンピュータであって、
前記携帯端末から前記公衆無線網を介して送信されてきた手書き入力された文字画像を受信する手書きデータ受信手段と、
該手書きデータ受信手段が受信した前記手書き入力された文字画像をフォント画像に変換し、該フォント画像を前記手書き入力された文字画像のフォント候補画像として前記携帯端末に返信するフォント候補画像返信手段と、
該フォント候補画像返信手段により前記携帯端末に対し返信された前記フォント候補画像が修正データを付加されて前記携帯端末から送信されてきたとき、該修正データ付きの前記フォント候補画像に基づき外字画像を作成して該外字画像を前記携帯端末に返信する外字画像返信手段と、
前記携帯端末から確定信号が送信されてきたとき、直前に前記携帯端末に返信した前記フォント候補画像又は前記外字画像が前記申請者が所望の文字フォントであるとして受け付ける受付手段と、
を有することを特徴とする受付担当者側コンピュータ。
【請求項４】
前記文字は氏名であることを特徴とする請求項３記載の受付担当者側コンピュータ。
【発明の詳細な説明】
【技術分野】
【０００１】
本発明は、申請者と受付担当者との遠隔地間で外字を作成し、その作成した外字を申請者側で確認し、確認した外字を受付担当者側で受け付ける遠隔地間の外字作成システムにおける申請者側携帯端末及び受付担当者側コンピュータに関する。
【背景技術】
【０００２】
従来、斎場などでの表示器に故人名を表示する際に、戸籍に登録されているとおりの特殊な漢字を使用したいという要望がある。中にはコピーミスなどで余分な線が入った漢字などが戸籍に登録されていて、そのとおりに故人名を表示したいという要望もある。
【０００３】
ところで、斎場の受付担当者は、申請者からＦａｘ等で送られてきた申請書を見ながら、故人名を表示する表示器を制御するためのコンピュータに故人の氏名を手作業で入力する。
【０００４】
ところが、そのコンピュータに上記のような特殊な漢字が予めインストールされていないと、手作業でかな文字を入力した後、変換キーを操作しても特殊な漢字に変換できず当て字の漢字にしか変換できない。つまり表示器には故人名として当て字の漢字しか表示できないという不具合が発生する。
【０００５】
図１３は、そのような不具合の例を説明する図である。同図は、申請者が申請書１に上の横棒が短い「よしだ」の漢字を書いて受付担当者２にＦａｘで送信し、受付担当者２がコンピュータ３に「よしだ」と入力して漢字変換したところ、表示器４に上の横棒が長い「吉田」が表示されるというような例を示している。
【０００６】
このような不具合を解決するものとして、外字データを記憶して、この外字データを登記申請者の利用者端末へネット経由で送信して、申請者が指定したドットパターンで外字の取り込みを可能にしたオンライン登記システムが提案されている。（例えば、特許文献１参照。）
【０００７】
また、申請等の利用者が外字を必要とする場合に、パーソナルコンピュータ、又は携帯電話や電子手帳等の携帯端末から、ネット経由で行政のサーバを検索し、イメージデータで確認しながら所望の外字を選択できるようした外字入力方法が提案されている。（例えば、特許文献２参照。）
【先行技術文献】
【特許文献】
【０００８】
【特許文献１】特開２００１−２２９２５０号公報
【特許文献２】特開２００３−２９６３１５号公報
【発明の概要】
【発明が解決しようとする課題】
【０００９】
しかしながら、特許文献１に示される従来技術は、オンライン登記システムにおける登記手続きに関するもので、申請者が指定したドットパターンで取り込んだ外字を登記受付担当者側で記憶しておくというもので、手続きが面倒であると共に、登記受付担当者側には膨大な容量の記憶装置を必要とするとう課題がある。
【００１０】
また、特許文献２に示される従来技術は、行政のサーバを検索して所望の外字を選択するというもので、行政のサーバを検索したり、そのサーバから選択すべき所望の外字を探し出す処理が面倒であるという課題がある。
【００１１】
上記いずれの場合も、葬儀が終了すれば使用しなくなる一時的な故人の外字を取扱うための入力方法や装置としては、大掛かりすぎて実際の使用に適さないという課題がある。
【００１２】
上記の課題を解決するために、本発明は、申請者と受付担当者との遠隔地間で外字を作成し、その作成した外字を申請者側で確認し、確認した外字を受付担当者側で受け付ける遠隔地間の外字作成システムにおける申請者側携帯端末及び受付担当者側コンピュータを提供することを目的とする。
【課題を解決するための手段】
【００１３】
本発明の遠隔地間の外字作成システムの申請者側携帯端末は、申請者が操作する携帯端末と受付担当者が操作するコンピュータとが公衆無線網で接続されて構成される遠隔地間の外字作成システムにおける申請者側携帯端末であって、手書き入力された文字画像を上記公衆無線網を介して上記コンピュータに送信する送信手段と、該送信手段により送信された文字画像が上記コンピュータによりフォント化されて返信されたフォント候補画像が所望のフォント画像でないとき、上記フォント候補画像の不要部を削除し又は追加必要部に追加を施して所望のフォント画像に修正した修正データを付加する修正データ付加手段と、該修正データ付加手段により修正データが付加された上記フォント候補画像を所望のフォント画像を示すデータとして上記コンピュータに送信する修正送信手段と、上記コンピュータから返信された上記フォント候補画像が所望のフォント画像であったとき、又は上記修正送信手段により上記コンピュータに送信された上記所望のフォント画像が外字画像として上記コンピュータから返信され該外字画像が所望のフォント画像であったとき、上記コンピュータに確定信号を送信する確定手段と、を有するように構成される。
【００１４】
本発明の遠隔地間の外字作成システムの受付担当者側コンピュータは、申請者が操作する携帯端末と受付担当者が操作するコンピュータとが公衆無線網で接続されて構成される遠隔地間の外字作成システムにおける受付担当者側コンピュータであって、上記携帯端末から上記公衆無線網を介して送信されてきた手書き入力された文字画像を受信する手書きデータ受信手段と、該手書きデータ受信手段が受信した上記手書き入力された文字画像をフォント画像に変換し、該フォント画像を上記手書き入力された文字画像のフォント候補画像として上記携帯端末に返信するフォント候補画像返信手段と、該フォント候補画像返信手段により上記携帯端末に対し返信された上記フォント候補画像が修正データを付加されて上記携帯端末から送信されてきたとき、該修正データ付きの上記フォント候補画像に基づき外字画像を作成して該外字画像を上記携帯端末に返信する外字画像返信手段と、上記携帯端末から確定信号が送信されてきたとき、直前に上記携帯端末に返信した上記フォント候補画像又は上記外字画像が上記申請者が所望の文字フォントであるとして受け付ける受付手段と、を有するように構成される。
【発明の効果】
【００１５】
本発明は、短期間に一時的に使用されるだけの外字を申請者と受付担当者の間で確認しながら容易に作成でき、受付担当者側で直ちに表示に使用が可能な遠隔地間の外字作成システムにおける申請者側携帯端末及び受付担当者側コンピュータを提供することが可能になるという効果を奏する。
【図面の簡単な説明】
【００１６】
【図１】本発明の実施例１に係る遠隔地間の外字作成システムにおける申請者側携帯端末及び受付担当者側コンピュータを示す図である。
【図２】遠隔地間の外字作成システムにおいて受付担当者とコンピュータによる処理及び申請者と携帯端末による処理の手順を示すフローチャート（その１）である。
【図３】遠隔地間の外字作成システムにおいて受付担当者とコンピュータによる処理及び申請者と携帯端末による処理の手順を示すフローチャート（その２）である。
【図４】遠隔地間の外字作成システムにおいて受付担当者とコンピュータによる処理及び申請者と携帯端末による処理の手順を示すフローチャート（その３）である。
【図５】遠隔地間の外字作成の処理に応じて申請者の携帯端末の画像表示部に表示される表示画像の例を示す図（その１）である。
【図６】遠隔地間の外字作成の処理に応じて受付担当者のコンピュータの画像表示部に表示される表示画像の例を示す図（その１）である。
【図７】遠隔地間の外字作成の処理に応じて申請者の携帯端末の画像表示部に表示される表示画像の例を示す図（その２）である。
【図８】遠隔地間の外字作成の処理に応じて申請者の携帯端末の画像表示部に表示される表示画像の例を示す図（その３）である。
【図９】遠隔地間の外字作成の処理に応じて申請者の携帯端末の画像表示部に表示される表示画像の例を示す図（その４）である。
【図１０】遠隔地間の外字作成の処理に応じて受付担当者のコンピュータの画像表示部に表示される表示画像の例を示す図（その２）である。
【図１１】遠隔地間の外字作成の処理に応じて申請者の携帯端末の画像表示部に表示される表示画像の例を示す図（その５）である。
【図１２】遠隔地間の外字作成の処理により消去や変更の修正が施される文字の他の例を示す図である。
【図１３】従来の不具合の例を説明する図である。
【発明を実施するための形態】
【００１７】
以下、本発明の実施の形態について、図面を用いて詳細に説明する。
【実施例１】
【００１８】
図１は、実施例１に係る遠隔地間の外字作成システムにおける申請者側携帯端末及び受付担当者側コンピュータを示す図である。同図に示すように、外字作成システムは、受付担当者５が操作するコンピュータ６、申請者７が操作する携帯端末８、それらを接続するモデム９、有線又は無線からなる公衆網１０から構成される。
【００１９】
コンピュータ６は、少なくとも画像表示部１１、候補入力部１２、画像生成部１３、外字エディタ部１４、画像合成部１５、通信部１６等のソフトウェアモジュールが搭載されている。通信部１６は、上記のモデム９の通信機能を制御する。
【００２０】
携帯端末８は、タッチパネル付きの携帯端末であり、公衆網１０を介してコンピュータ６と通信するためのアンテナ１７を備えている。この携帯端末８は、特には図示しないが通常の携帯端末としての通信を行う構成とソフトウェアモジュールを備えている。
【００２１】
また、この携帯端末８には、同図に示すように、手書き入力部１８、画像表示部１９、画像生成部２１、通信部２２等のソフトウェアモジュールも搭載されている。通信部２２はアンテナ１７の通信機能を制御する。
【００２２】
図２、図３及び図４は、遠隔地間の外字作成システムにおいて、受付担当者５及び受付担当者５が操作するコンピュータ６による処理と、申請者７及び申請者７が操作する携帯端末８による処理の手順を示すフローチャートである。
【００２３】
図５〜図１１は、上記のフローチャートが示す処理に応じて、申請者７が操作する携帯端末８の画像表示部１９、又は受付担当者５が操作するコンピュータ６の画像表示部１１に表示される表示画像の例を示す図である。
【００２４】
尚、図２、図３及び図４に示すフローチャートには、下線付きで記載されている処理は人による操作又は判断を表し、下線なしで記載されている処理はハードウェアまたはソフトウェアによる処理を表している。
【００２５】
また、この処理では、図１に示した通信部１６及び２２、モデム９、アンテナ１７、公衆網１０との間の通信処理については、一般的な通信処理であるので説明は省略し、申請者７、受付担当者５、及び携帯端末８とコンピュータ６の各ソフトウェアモジュールの処理について説明する。
【００２６】
図２の右に示す申請者７と申請者７が操作する携帯端末８による処理が開始されると、先ず氏名の手書き入力が行われる（ステップＳ１０１）。この処理では、申請者７は、携帯端末８の表示画面の画像表示部１９に専用のペン又は指先等でタッチ操作する。
【００２７】
このタッチ操作では、図５に示す例では、画像表示部１９の表示画面２３に表示されている手書き入力１８の２つ並んでいる入力枠２４に、申請者７によって、吉の字（実際の入力は上の横棒が短い字）と、田の字が入力されている。
【００２８】
もし、入力する苗字が３文字の漢字であれば、申請者７はスライドボタン２５を押下する。これにより入力枠２４が１つ分だけ左にずれて１つの空白の入力枠が、田の字が入力されている入力枠の右に表示されるので、この入力枠に３つ目の漢字を入力することができる。また苗字に続いて名前を入力するときも同様にスライドボタン２５が押下される。
【００２９】
このように、氏名の手書き入力が終わったならば、申請者７は、表示画面２３の右下に表示されている送信ボタン２６を押下する（ステップＳ１０２）。この送信ボタン２６の押下を認識すると、携帯端末８は、画像生成部２１において手書き入力画像を生成し（ステップＳ１０３）、この生成した手書き入力画像をコンピュータ６に送信する（ステップＳ１０４）。その後、携帯端末８は、コンピュータ６からの候補文字画像の受信を待つ（ステップＳ１０５）。
【００３０】
コンピュータ６は、携帯端末８から手書き入力画像を受信すると（ステップＳ２０１）、その受信した手書き入力画像を、画像表示部１１に表示する（ステップＳ２０２）。これにより、図６に示すように、表示画面２７の画像表示部１１に、苗字の「吉田」（吉の字は入力通り上の横棒が短い字）と名前の「○○」が表示される。
【００３１】
コンピュータ６を操作中の受付担当者５は、画像表示部１１に表示された手書き入力画像を見ながら、候補入力部１２の文字入力枠に候補文字を入力する（ステップＳ２０３）。この候補文字の入力は、手書き入力画像を見ながら、その読み仮名を入力し、漢字変換することによって行われる。
【００３２】
尚、受付担当者５が画像表示部１１に表示された手書き入力画像を見ながら読み仮名を入力して漢字変換するとしたが、コンピュータ６の手書き入力イメージ判読アプリケーションが、携帯端末８から受信した手書き入力イメージを判読して漢字フォントに変換するようにしてもよい。
【００３３】
図６に示す例では、漢字変換された苗字の漢字フォントは「吉田」となっており、吉の字は、手書き入力画像の上の横棒が短い字ではなく上の横棒が長い通常の吉の字となっている。これはコンピュータ６の仮名漢字辞書に記憶されているフォントには、上の横棒が短い漢字の吉の字は登録されていないからである。
【００３４】
受付担当者５は、この候補入力部１２に漢字変換されている文字のフォントが、手書き入力画像と全く同じではないが、ほぼ似ている文字のフォントである場合には、手書き入力画像の漢字に近い候補が探し出されたと判断し、この漢字を候補文字であると判断して送信ボタン２８を押下する（ステップＳ２０４）。
【００３５】
コンピュータ６は、送信ボタン２８の押下を認識すると、候補入力部１２の文字入力枠に表示されている上記のフォント候補文字を、画像生成部１３において候補文字画像として画像データに生成し（ステップＳ２０５）、この生成した画像データからなる候補文字画像を携帯端末８に返信する（ステップＳ２０６）。
【００３６】
携帯端末８は、コンピュータ６から候補文字画像を受信すると（ステップＳ１０５）、その候補文字画像を画像表示部１９に表示する（ステップＳ１０６）。ここで携帯端末８の画像表示部１９の表示画面２３には、図７に示すように、氏名の候補文字の苗字の最初の２文字が表示される。
【００３７】
申請者７は、その表示された氏名の候補文字を、スライドボタン２５を操作しながらスライド表示させて、苗字・名前ともに全て希望の文字と一致しているかどうか、判別する（ステップＳ１０７）。
【００３８】
ここで申請者７は、候補文字が全て希望の文字と一致していると判断すれば（Ｓ１０７がＹＥＳ）、表示画面２３の右下に表示されている確定ボタン２９を押下して（ステップＳ１０８）、処理を終了する。
【００３９】
しかし、候補文字が一つでも希望の文字と一致していないものがあるときは（Ｓ１０７がＮＯ）、申請者７は、表示画面２３に表示されている直したい文字の上を一定時間長押しすることによって、直したい文字の修正モードにする（ステップＳ１０９）。
【００４０】
なお、ここでいう修正モードとは、文字に対する削除、追加、変更等の添削作業の全てを行うことのできる作業モードのことである。
【００４１】
図８は、修正モードに変わった画像表示部１９の表示画面２３を示している。同図には候補文字の最初の１文字である「吉」の字が、長押しされたことによって、その「吉」の字が修正対象文字として、ほぼ画面全体に大きく表示されている。
【００４２】
その表示画面２３の右下には送信ボタン２６が表示され、左下には赤色ボタン３１と青色ボタン３２が並んで表示されている。赤色ボタン３１は消去モードを指定するボタンであり、青色ボタン３２は修正（変更、追加を含む）モードを指定するボタンである。
【００４３】
ここで申請者７は、表示画面２３の直したい「吉」１文字の表示を見ながら、消去したい部分があるかどうかを判断する（ステップＳ１１０）。
【００４４】
申請者７は、消去したい部分がある場合には（Ｓ１１０がＹＥＳ）、図８の「吉」１文字の、上の長い横棒の左の消したい部分３３ａを消すために、赤色入力ボタン３１を押下してから（ステップＳ１１１）、消したい部分３３ａをなぞって手書き入力する（ステップＳ１１２）。これにより、消したい部分３３ａは赤色の表示に変わる。
【００４５】
申請者７は、再びステップＳ１０９の消去判別に戻って、まだ、長い横棒の右の消したい部分３３ｂがあるので（Ｓ１１０が再びＹＥＳ）、赤色入力ボタン３１を押下し（Ｓ１１１）、消したい部分３３ｂをなぞって手書き入力して（Ｓ１１２）、消したい部分３３ｂを赤色の表示に変えて、ステップＳ１１０の消去判別に戻る。
【００４６】
ここで申請者７は、消したい部分はもう無いので（Ｓ１１０がＮＯ）、次に修正(変更)したい部分があるかどうかを判別し（ステップＳ１１３）、図８の「吉」１文字の、下の短い横棒の左右に長くしたい修正部分３４ａと３４ｂがあると判別する（Ｓ１１３がＹＥＳ）。
【００４７】
そこで、申請者７は、修正部分３４ａと３４ｂを修正（変更）するために、青色入力ボタン３２を押下してから（ステップＳ１１４）、修正部分３４ａ、３４ｂを含む直したい字画全体を手書き入力する（ステップＳ１１５）。これにより、手書き入力部分が修正部分３４ａ、３４ｂを含めて青色に表示に変わる。
【００４８】
図９は、消したい部分３３ａと３３ｂが、赤色入力ボタン３１を押下した手書き入力で赤色に表示が変わり、修正部分３４ａと３４ｂを含む直したい字画全体が、青色入力ボタン３２を押下した手書き入力で青色に表示が変わった状態を示す図である。
【００４９】
ここで申請者７は、ステップＳ１１０の消去判別に戻り、消去したい部分が無く（Ｓ１１０がＮＯ）、修正したい部分も無いので（Ｓ１１３がＮＯ）、送信ボタン２６を押下する（ステップＳ１１６）。
【００５０】
携帯端末８は、画像生成部２１において、図９に示す赤と青で表示されている修正文字により修正文字画像を生成し（ステップＳ１１７）、この修正文字画像と、氏名の何番目の文字であるかを示す「ｎ文字目」の情報をコンピュータ６に送信する（ステップＳ１１８）。この例ではｎ＝１である。その後、携帯端末８は、ステップＳ１０５に戻り、コンピュータ６からの候補文字画像の受信を待つ。
【００５１】
コンピュータ６は、前述したステップＳ２０６で候補文字画像を携帯端末８に返信した後、携帯端末８からの送信を待機している。そして、携帯端末８からの送信を受信すると、その受信した携帯端末８からの送信が確定信号の送信であるか否かを判別する（ステップＳ２０７）。
【００５２】
そして、携帯端末８からの送信が、修正文字画像と修正文字がｎ文字目であるとの情報の送信であるときは、コンピュータ６は確定信号の送信ではないと判別して（Ｓ２０７がＮＯ）、その場合は、送信されてきた修正文字画像の赤色部分と青色部分のピクセルの位置を読み取る（ステップＳ２０８）。
【００５３】
続いて、コンピュータ６は、ｎ文字目の候補文字（本例ではこの場合、もとの候補文字は灰色表示のデータとなって処理されている)と赤色、青色を合成して、外字エディタ部１４に表示する（ステップＳ２０９）。
【００５４】
図１０は、コンピュータ６の外字エディタ部１４の表示画面に表示された修正文字の例を示す図である。このように外字エディタ部１４の表示画面には、もとの候補文字との差異が分かるように消去したい赤い部分と修正したい青い部分が元の文字を示す灰色と合成されて表示される。
【００５５】
受付担当者５は、この表示画像を見ながら、赤色と青色の表示に従って適切に修正を施して外字を作成する（ステップＳ２１０）。外字の作成が終了したら、受付担当者５は、適用ボタン３５を押下する（ステップＳ２１１）。
【００５６】
適用ボタン３５の押下を認識すると、コンピュータ６は、外字エディタ部１４に作成されている外字をイメージデータとして候補入力部１２に転送して（ステップＳ２１２）ステップＳ２０４に戻る。
【００５７】
これにより、図６に示す画像表示部１１の表示画面２７の候補入力部１２に、適切に修正を施された外字の「吉田」（但し上の横棒は下の横棒よりも短い字）が表示される。この表示を確認して、受付担当者５は、送信ボタン２８を押下する。
【００５８】
これにより再び携帯端末８の画像表示部１９の表示画面２３に、今度は図１１に示すように外字フォントによる「吉」の字（但し上の横棒は下の横棒よりも短い字）を伴った氏名が表示される。
【００５９】
申請者７は、表示画面２３に表示された外字フォントによる氏名の画像を確認して(ステップ１０７ )、確定ボタン２９を押下して（ステップＳ１０８）、処理を終了する。
【００６０】
携帯端末８からの送信を待機していたコンピュータ６は、ステップＳ２０７で、携帯端末８からの確定を示す信号を受信すると（Ｓ２０７がＹＥＳ）、確定メッセージを表示画面２７の候補入力部１２に表示して（ステップＳ２１３）、処理を終了する
【００６１】
このように、本発明の実施例１によれば、申請者が通常には使用されていない字体の文字から成る氏名を受付担当者に送信したとき、類似の字体の文字が受付担当者から申請者に返信される。
【００６２】
そして、類似の字体の文字に対し、申請者が、消す部分を赤で、修正する部分を青で手書き入力して受付担当者に送信すると、受付担当者は、赤と青の色に従って赤の部分と青の部分の修正（編集）を行って外字を作成して申請者に返信する。
【００６３】
申請者が編集された外字を所望の文字であると認めて確定信号を送信することにより、編集された外字が確定して受付担当者により受付られる。このように、簡単な操作によって遠隔地間で画像を確認しながら外字を作成できるので便利である。
【００６４】
また、携帯端末上では手書き入力だけなので、外字エディタの複雑な操作は必要なく、申請者として誰でも容易に修正の入力ができるので便利である。また、パソコン上の外字エディタには修正した箇所の画像が合成されるので、受付担当者は修正がしやく便利である。
【００６５】
図１２(a),(b),(c) は、参考のため、上記遠隔地間の外字作成の処理により消去や変更の修正が施される文字の他の例を示す図である。同図(a) に示す「しんにょう」は、旧漢字のしんにょうの字形であり、同図(c) に示すしんにょうは、常用漢字や人名に使用される新漢字のしんにょうの字形である。
【００６６】
旧漢字のしんにょうは点が２つあり、点が１つの新漢字のしんにょうと比べて点が１つ多いので、同図(b) に示すように、申請者は旧漢字の２つの点３６ａ、３６ｂを消すために赤でなぞる手書き入力を行い、これに代わって、新漢字のしんにょうの１つの点３７を青で新たに手書き入力している。
【００６７】
また、しんにょうで囲まれた字形のうち、上の「自」と下の「方」の中間の字形のウ冠の上にある新漢字では不要な点３６ｃは、これを消すために赤でなぞる手書き入力がなされ、ウ冠の下方に続く２個の曲がりのある字形３８ａ、３８ｂは、新漢字の単純なハの字に書き直すため字形の上から青で手書き入力されている。
【００６８】
このようにして、受付担当者側から送信された同図(a) に示す候補文字が、申請者側で同図(b) に示すように修正の手書き入力がなされ、受付担当者側による外字作成と、申請者側による確認と確定で、最終的に同図(c) に示す字形が出来上がったことを示している。
【００６９】
尚、上述した処理で、受付担当者と申請者間で修正内容がうまく伝わらない場合は、通信を音声通話に切り替えてもよい。また、その音声通話などで申請者が文字に対し修正で真っ直ぐな線を引きたい場合などでは手書き入力部分の解像度を下げてもよい。
【００７０】
また、手書き入力部分の修正モードでは、修正した箇所を拡大するために、別な色（例えば黄色など）で、拡大したい範囲を囲んで、拡大表示したところで、申請者が修正し、その拡大部分が連動して、受付担当者の外字エディタ部に表示されるようにしてもよい。
【００７１】
また、上述した実施例では、氏名の文字の外字作成について説明したが、通常の文章の字形の文字の外字を作成する場合にも適用できることは言うまでも無い。
【産業上の利用可能性】
【００７２】
本発明は、遠隔地間の外字作成システムにおける申請者側携帯端末及び受付担当者側コンピュータに利用することができる。
【符号の説明】
【００７３】
１  申請書
２  受付担当者
３  コンピュータ
４  表示器
５  受付担当者
６  コンピュータ
７  申請者
８  携帯端末
９  接続モデム
１０  無線を含む公衆網
１１  画像表示部
１２  候補入力部
１３  画像生成部
１４  外字エディタ部
１５  画像合成部
１６  通信部
１７  アンテナ
１８  手書き入力部
１９  画像表示部
２１  画像生成部
２２  通信部
２３  表示画面
２４  入力枠
２５  スライドボタン
２６  送信ボタン
２７  表示画面
２８  送信ボタン
２９  確定ボタン
３１  赤色ボタン
３２  青色ボタン
３３ａ、３３ｂ  消したい部分
３４ａ、３４ｂ  修正部分
３５  適用ボタン
３６ａ、３６ｂ  旧漢字のしんにょうの点
３７  新漢字のしんにょうの点
【図１】
2011186935.tif 000003
【図２】
2011186935.tif 000004
【図３】
2011186935.tif 000005
【図４】
2011186935.tif 000006
【図５】
2011186935.tif 000007
【図６】
2011186935.tif 000008
【図７】
2011186935.tif 000009
【図８】
2011186935.tif 000010
【図９】
2011186935.tif 000011
【図１０】
2011186935.tif 000012
【図１１】
2011186935.tif 000013
【図１２】
2011186935.tif 000014
【図１３】
2011186935.tif 000015